(57)【要約】【課題】ユーザ（又は持ち主）が変った場合、ユーザの嗜好又は関心事の変化等に素早く対応することが出来る表示装置を提供する。【解決手段】各選択候補の被選択回数を記憶する第１記憶部７４と、所定期間内、例えば最近の数日間の各選択候補の被選択回数を記憶する第２記憶部７５と、第２記憶部７５が記憶する被選択回数に基づく重み付け数を、前記第１記憶部７４が記憶する被選択回数に係る数に重み付けする演算手段とを備え、該演算手段の演算結果に基づき、各選択候補を表示部へ配置表示することにより、最近の被選択回数変動、つまり最近の被選択履歴を各選択候補の配置表示に反映する。【選択図】図２
2008287667.tif 000002
【特許請求の範囲】
【請求項１】
複数の選択候補を表示する表示指示を受付ける受付手段と、該受付手段が前記表示指示を受付けた場合、前記複数の選択候補が表示される表示部と備え、前記複数の選択候補からの選択を受付ける表示装置において、
各選択候補の被選択回数を記憶する第１記憶手段と、
所定期間内の各選択候補の被選択回数を記憶する第２記憶手段と、
該第２記憶手段が記憶する被選択回数に基づく各選択候補の重み付け数を演算し、前記第１記憶手段が記憶する各選択候補の被選択回数に係る数に、前記重み付け数を用いた重み付けを行う演算手段と、
該演算手段の演算結果に基づき、各選択候補の前記表示部への表示における各選択候補の配置を決定する決定手段と、
該決定手段の決定結果に基づき、各選択候補を前記表示部へ表示する表示手段と
を備えることを特徴とする表示装置。
【請求項２】
前記第１記憶手段及び第２記憶手段は、各選択候補が選択される時間帯に対応付けて被選択回数を記憶し、
前記演算手段は、前記第１記憶手段及び第２記憶手段が記憶する被選択回数のうち、前記受付手段が前記表示指示を受付けた時間帯に係る被選択回数に基づき、重み付け数の演算及び該重み付け数を用いた重み付けを行うことを特徴とする請求項１に記載の表示装置。
【請求項３】
前記演算手段は、前記第２記憶手段が記憶する被選択回数に、所定の正数である重み係数を乗じて前記重み付け数を演算することを特徴とする請求項１又は請求項２に記載の表示装置。
【請求項４】
前記演算手段は、前記第２記憶手段が記憶する被選択回数に重み係数を乗じて前記重み付け数を演算し、
前記重み係数は、第１記憶手段が記憶する各選択候補の被選択回数の和に対する所定の割合に係る数であることを特徴とする請求項１又は請求項２に記載の表示装置。
【請求項５】
複数の選択候補を表示する表示指示を受付け、前記複数の選択候補を表示する表示方法において、
各選択候補の被選択回数を第１記憶手段に記憶し、
所定期間内の各選択候補の被選択回数を第２記憶手段に記憶し、
該第２記憶手段が記憶する被選択回数に基づく各選択候補の重み付け数を演算し、前記第１記憶手段が記憶する各選択候補の被選択回数に係る数に、前記重み付け数の重み付けを行い、
重み付けの結果に基づき、各選択候補の表示における各選択候補の配置の決定を行い、
決定の結果に基づき、各選択候補を表示することを特徴とする表示方法。
【請求項６】
選択候補として複数のチャンネルを表示する請求項１から４のいずれか一つに記載の表示装置と、
該表示装置が表示した複数のチャンネルの中から、チャンネルの選択を受付ける受付手段と、
該受付手段が受付けたチャンネルを選局する選局手段と
を備えることを特徴とするテレビジョン受像機。
【発明の詳細な説明】
【技術分野】
【０００１】
本発明は、複数の選択候補を表示する表示装置及び表示方法並びに、前記表示装置を備えるテレビジョン受像機に関する。
【背景技術】
【０００２】
近年の技術の発展は、各種電気機器における多機能化と共に機能の充実化を実現してきた。多機能化においては、電気機器本来の機能以外に、様々な付加的又は補助的機能の追加が挙げられ、機能の充実化においては、コンテンツの増加が挙げられる。
【０００３】
しかし、このような付加的機能の追加及びコンテンツの増加は、ユーザが複数の機能から一つの機能を選択する場合、複数のコンテンツから一つのコンテンツを選択する場合などの選択におけるユーザの負担を増加させる結果となった。つまり、付加的機能の追加及びコンテンツの増加により選択肢も増加し、ユーザは数多い選択肢を見分けて自分が希望する選択肢を選択しなければならないといった問題が生じていた。
【０００４】
このような問題に対し、特許文献１では、機能、コンテンツなどの指定（又は選択）において指定された頻度の順に選択肢を並べて、頻繁に選択された選択肢ほど選択され易い場所に表示し、カーソルの移動が少ない位置に配置表示する選択メニュー表示方式を提案している。
【特許文献１】特開平３−１９１４１３号公報
【発明の開示】
【発明が解決しようとする課題】
【０００５】
しかしながら、特許文献１の選択メニュー表示方式は、電子機器使用の際、選択された選択肢（選択候補）を単純に頻度の累積に基づいて配置表示するものであり、最近の頻度変動が反映されていない。つまり、前記電子機器の使用期間が長い場合は、最近の頻度変動が前記頻度の累積に与える影響は小さい。従って、ユーザ（又は持ち主）が変った場合、ユーザの嗜好又は関心事の変化等に期する最近の頻度変動に素早く対応することが出来ない。
【０００６】
本発明は、斯かる事情に鑑みてなされたものであり、その目的とするところは、各選択候補の被選択回数を記憶する第１記憶手段と、所定期間内、例えば最近の数日間の各選択候補の被選択回数を記憶する第２記憶手段と、該第２記憶手段が記憶する被選択回数に基づく重み付け数を、前記第１記憶手段が記憶する被選択回数に係る数に重み付けする演算手段とを備え、該演算手段の演算結果に基づき、各選択候補を表示部へ配置表示することにより、最近の被選択回数変動、つまり最近の被選択履歴を前記配置表示に反映することができ、ユーザ（又は持ち主）が変った場合、ユーザの嗜好又は関心事の変化等に素早く対応することが出来る表示装置、表示方法及びテレビジョン受像機を提供することにある。
【０００７】
また、本発明の他の目的は、前記第１記憶手段及び第２記憶手段が、各選択候補が選択される時間帯に対応付けて被選択回数を記憶し、前記演算手段は複数の選択候補の表示指示を受付けた時間帯に係る、前記第１記憶手段及び第２記憶手段が記憶する被選択回数に基づき、重み付け数の演算及び重み付けを行うことにより、例えば、午前及び午後別に被選択回数が記憶された場合、前記表示指示を受けた時間帯が午後である場合は、午前の被選択履歴に基づく午前に適した選択候補の配置表示が、午後である場合は、午後の被選択履歴に基づく午後に適した選択候補の配置表示が出来る表示装置及びテレビジョン受像機を提供することにある。
【０００８】
また、本発明の他の目的は、前記第２記憶手段が記憶する被選択回数に、所定の正数である重み係数を乗じて重み付け数を演算することにより、前記重み係数を調整して、複数の選択候補の配置表示における最近の被選択回数変動の反映率を調整出来る表示装置及びテレビジョン受像機を提供することにある。
【０００９】
また、本発明の他の目的は、第１記憶手段が記憶する各選択候補の被選択回数の和に対する所定の割合に係る数である重み係数を、前記第２記憶手段が記憶する被選択回数に乗じて重み付け数を演算することにより、当該電気機器の使用期間が長くなることにつれて、各選択候補の配置表示における最近の被選択回数変動の反映率も高くすることが出来る表示装置及びテレビジョン受像機を提供することにある。
【課題を解決するための手段】
【００１０】
本発明に係る表示装置は、複数の選択候補を表示する表示指示を受付ける受付手段と、該受付手段が前記表示指示を受付けた場合、前記複数の選択候補が表示される表示部と備え、前記複数の選択候補からの選択を受付ける表示装置において、各選択候補の被選択回数を記憶する第１記憶手段と、所定期間内の各選択候補の被選択回数を記憶する第２記憶手段と、該第２記憶手段が記憶する被選択回数に基づく各選択候補の重み付け数を演算し、前記第１記憶手段が記憶する各選択候補の被選択回数に係る数に、前記重み付け数を用いた重み付けを行う演算手段と、該演算手段の演算結果に基づき、各選択候補の前記表示部への表示における各選択候補の配置を決定する決定手段と、該決定手段の決定結果に基づき、各選択候補を前記表示部へ表示する表示手段とを備えることを特徴とする。
【００１１】
本発明に係る表示方法は、複数の選択候補を表示する表示指示を受付け、前記複数の選択候補を表示する表示方法において、各選択候補の被選択回数を第１記憶手段に記憶し、所定期間内の各選択候補の被選択回数を第２記憶手段に記憶し、該第２記憶手段が記憶する被選択回数に基づく各選択候補の重み付け数を演算し、前記第１記憶手段が記憶する各選択候補の被選択回数に係る数に、前記重み付け数の重み付けを行い、重み付けの結果に基づき、各選択候補の表示における各選択候補の配置の決定を行い、決定の結果に基づき、各選択候補を表示することを特徴とする。
【００１２】
本発明に係るテレビジョン受像機は、選択候補として複数のチャンネルを表示する第１発明乃至第４発明のいずれか一つに記載の表示装置と、該表示装置が表示した複数のチャンネルの中から、チャンネルの選択を受付ける受付手段と、該受付手段が受付けたチャンネルを選局する選局手段とを備えることを特徴とする。
【００１３】
本発明にあっては、例えば、前記第１記憶手段が各選択候補の被選択回数を当該電気機器（テレビジョン受像機）の使用開始日から累積的に記憶する。前記第２記憶手段は最近１０日間の各選択候補の被選択回数を記憶する。前記受付手段が複数の選択候補を表示する表示指示を受付けた場合、前記演算手段は、該第２記憶手段が記憶する被選択回数に基づく重み付け数を演算し、該重み付け数を前記第１記憶手段が記憶する被選択回数に係る数に重み付けする。演算手段の演算結果に基づき、前記決定手段は前記表示部へ表示する際の各選択候補の配置を決定する。該決定手段の決定結果に基づき、前記表示手段は複数の各選択候補を前記表示部へ表示する。
【００１４】
本発明に係る表示装置は、前記第１記憶手段及び第２記憶手段は、各選択候補が選択される時間帯に対応付けて被選択回数を記憶し、前記演算手段は、前記第１記憶手段及び第２記憶手段が記憶する被選択回数のうち、前記受付手段が前記表示指示を受付けた時間帯に係る被選択回数に基づき、重み付け数の演算及び該重み付け数を用いた重み付けを行うことを特徴とする。
【００１５】
本発明にあっては、前記第１記憶手段及び第２記憶手段は、選択を受ける時間帯、例えば午前及び午後の時間帯に対応付けて各選択候補の被選択回数の記憶を行う。前記受付手段が前記表示指示を受付けた時間帯が午後である場合、前記演算手段が、午後に係る前記第１記憶手段及び第２記憶手段の記憶被選択回数に基づいて、重み付け数の演算及び該重み付け数の重み付けを行う。前記決定手段は演算手段の演算結果に基づき、前記表示部へ表示する際の各選択候補の配置を決定する。
【００１６】
本発明に係る表示装置は、前記演算手段は、前記第２記憶手段が記憶する被選択回数に、所定の正数である重み係数を乗じて前記重み付け数を演算することを特徴とする。
【００１７】
本発明にあっては、前記演算手段は、前記第２記憶手段が記憶する被選択回数に、重み係数である所定の正数（例えば１０）を乗じて前記重み付け数を演算する。また、該演算により得られた前記重み付け数を、前記第１記憶手段が記憶する被選択回数に係る数に重み付けする。前記決定手段は演算手段の演算結果に基づき、前記表示部へ表示する際の各選択候補の配置を決定する。
【００１８】
本発明に係る表示装置は、前記演算手段は、前記第２記憶手段が記憶する被選択回数に重み係数を乗じて前記重み付け数を演算し、前記重み係数は、第１記憶手段が記憶する各選択候補の被選択回数の和に対する所定の割合に係る数であることを特徴とする。
【００１９】
本発明にあっては、第１記憶手段が記憶する各選択候補の被選択回数の和に対する所定の割合（例えば５％）に係る数を、重み係数として前記第２記憶手段が記憶する被選択回数に乗じて前記重み付け数を演算する。また、該演算により得られた前記重み付け数を、前記第１記憶手段が記憶する被選択回数に係る数に重み付けする。前記決定手段は演算手段の演算結果に基づき、前記表示部へ表示する際の各選択候補の配置を決定する。
【発明の効果】
【００２０】
本発明によれば、各選択候補の被選択回数を記憶する第１記憶手段と、所定期間内、例えば最近の数日間の各選択候補の被選択回数を記憶する第２記憶手段と、該第２記憶手段が記憶する被選択回数に基づく重み付け数を、前記第１記憶手段が記憶する被選択回数に係る数に重み付けする演算手段とを備え、該演算手段の演算結果に基づき、各選択候補を表示部へ配置表示するので、最近の被選択回数変動、つまり最近の被選択履歴を前記配置表示に反映することができ、ユーザ（又は持ち主）が変った場合、ユーザの嗜好又は関心事の変化等に素早く対応することが出来る。
【００２１】
本発明によれば、前記第１記憶手段及び第２記憶手段が、各選択候補が選択される時間帯に対応付けて被選択回数を記憶し、前記演算手段は複数の選択候補の表示指示を受付けた時間帯に係る、前記第１記憶手段及び第２記憶手段が記憶する被選択回数に基づき、重み付け数の演算及び重み付けを行うので、例えば、午前及び午後別に被選択回数が記憶された場合、前記表示指示を受けた時間帯が午後である場合は、午前の被選択履歴に基づく午前に適した選択候補の配置表示が、午後である場合は、午後の被選択履歴に基づく午後に適した選択候補の配置表示が出来る。
【００２２】
本発明によれば、前記第２記憶手段が記憶する被選択回数に、所定の正数である重み係数を乗じて重み付け数を演算するので、前記重み係数の調整により、複数の選択候補の配置表示における最近の被選択回数変動の反映率を調整することが出来る。
【００２３】
本発明によれば、第１記憶手段が記憶する各選択候補の被選択回数の和に対する所定の割合に係る数である重み係数を、前記第２記憶手段が記憶する被選択回数に乗じて重み付け数を演算するので、当該電気機器の使用期間が長くなると共に、各選択候補の配置表示における最近の被選択回数変動の反映率を高くすることが出来る。
【発明を実施するための最良の形態】
【００２４】
（実施の形態１）
以下に、本発明の実施の形態１に係る表示装置及び表示方法を、テレビジョン受像機を例として説明する。図１は、本発明の実施の形態１に係るテレビジョン受像機の要部構成例を示すブロック図である。
【００２５】
本発明の実施の形態１に係るテレビジョン受像機は、複数のチャンネル及び各チャンネルの番組情報を含むテレビジョン信号を受信するテレビジョンアンテナ１を備え、該テレビジョンアンテナ１により受信されたテレビジョン信号はチューナ部２へ送られる。チューナ部２は、制御装置７からの指示に応じて所定チャンネルを選局して信号処理部３へ送出する。信号処理部３は、チューナ部２から送られてくる所定チャンネルの信号から画像信号を抜取って例えば液晶パネルの表示部５へ送出する。また、信号処理部３は、所定チャンネルの信号から音声信号を抜取ってスピーカの音声出力部４へ出力する。
【００２６】
また、前記テレビジョン受像機は、番組データ抽出手段６及び計時手段９を備えており、番組データ抽出手段６は、制御装置７からの指示に応じてチャンネル別の番組のタイトル、番組の放送開始時刻及び放送終了時刻等の番組データを抽出し、制御装置７に送出する。制御装置７は、抽出した番組データに基づき、番組の選択を受付けるためのいわゆる電子番組表を構成して表示部５に表示する。以下では、説明の便宜上、チャンネルは１から６までの６つのチャンネルのみであるとする。
【００２７】
例えばリモコン装置等の受付手段８は、チャンネルの選択に係る指示を受付けるためのテンキー、前記電子番組表を表示部５に表示するための電子番組表表示キー、電源キー等を備えている。
【００２８】
図２は本発明の実施の形態１に係るテレビジョン受像機の制御装置７の要部構成例を示すブロック図である。制御装置７は、ＣＰＵ７１、ＲＯＭ７２、ＲＡＭ７３、第１記憶部７４及び第２記憶部７５を備えている。ＣＰＵ７１は、番組データ抽出手段６への番組データ抽出の指示、チューナ部２へのチャンネル選局の指示、重み付け演算、該演算の結果に基づく各チャンネルの配置決定等を行う。ＲＯＭ７２には、処理プログラム以外にも、前記重み付け演算のためのプログラム等が予め記憶されている。ＲＡＭ７３は、プログラムの実行時に発生する一時的なデータ、例えば番組データ抽出手段６が抽出した番組データ、前記重み付け演算の結果等を記憶する。
【００２９】
第１記憶部７４は書換え可能な不揮発性メモリであり、各チャンネルの被選択回数を前記テレビジョン受像機の使用開始日から累積的に、且つチャンネル毎に記憶する。第１記憶部７４の記憶領域の一部は、第１記憶テーブルとして利用されている。図３は第１記憶テーブルの一例を示す概念図である。前記第１記憶テーブルには、チャンネル毎に「午前」及び「午後」の欄が設けられ、各チャンネルの被選択回数が、各チャンネルが選択された時間帯が午前か午後かに対応付けられてチャンネル毎に書き込まれている。
【００３０】
第２記憶部７５は書換え可能な不揮発性メモリであり、最近１０日間の各チャンネルの被選択回数をチャンネル毎に記憶する。また、第２記憶部７５における各チャンネルの被選択回数の記憶は、各チャンネルが選択された時間帯が午前か午後かに対応付けて行われる。第２記憶部７５の記憶領域の一部は、第２記憶テーブルとして利用されている。図４及び図５は第２記憶テーブルの一例を示す概念図である。図４に示す第２記憶テーブルには、午前に選択が行われた場合の各チャンネルの被選択回数が書き込まれており、図５に示す第２記憶テーブルには、午後に選択が行われた場合の各チャンネルの被選択回数が書き込まれている。前記第２記憶テーブルには、最近１０日間の各チャンネルの被選択回数がチャンネル毎で書き込まれている。また、チャンネル毎に「今日」から「９日前」までの１０個の欄が設けられ、各チャンネルの被選択回数が一日単位で書き込まれている。チャンネル毎に合計の欄が設けられ、前記１０個の欄に記載の被選択回数の和が書き込まれている。前記第２記憶テーブルには、最近１０日間の各チャンネルの被選択回数が記憶されるので、第２記憶テーブルに記憶されている各チャンネルの被選択回数は一日経過毎に更新される。
【００３１】
図６は本発明の実施の形態１に係る第１記憶部７４及び第２記憶部７５の記憶処理を示すフローチャートである。
【００３２】
ユーザの操作により受付手段８が所定チャンネルの選択の指示を受付けた場合（Ｓ１０１）、ＣＰＵ７１はチューナ部２に選択されたチャンネルの選局を指示する（Ｓ１０２）。ＣＰＵ７１の指示に応じてチューナ部２は前記チャンネルの選局を行い、選局されたチャンネルの画像及び音声が夫々表示部５及び音声出力部４に出力される（Ｓ１０３）。
【００３３】
次いで、ＣＰＵ７１は計時手段９の計時結果に基づき、現時間帯が午後か否かを判定する（Ｓ１０４）。ＣＰＵ７１が、現時間帯が午後であると判定した場合（Ｓ１０４：ＹＥＳ）、第１記憶部７４の第１記憶テーブルの選択されたチャンネルに係る「午後」の欄に記載の既存の被選択回数に一が加算され、第１記憶部７４の被選択回数が更新される（Ｓ１０５）。次いで、第２記憶部７５の午後に係る第２記憶テーブルにおける、選択されたチャンネルの「今日」の欄に記載の既存の被選択回数にも一が加算され、第２記憶部７５の被選択回数が更新される（Ｓ１０６）。
【００３４】
一方、ＣＰＵ７１が、現時間帯が午後でないと判定した場合（Ｓ１０４：ＮＯ）、第１記憶部７４の第１記憶テーブルの選択されたチャンネルに係る「午前」の欄に記載の既存の被選択回数に一が加算され、第１記憶部７４の被選択回数が更新される（Ｓ１０７）。次いで、第２記憶部７５の午後に係る第２記憶テーブルにおける、選択されたチャンネルの「今日」の欄に記載の既存の被選択回数にも一が加算され、第２記憶部７５の被選択回数が更新される（Ｓ１０８）。
【００３５】
以下、上述のような記憶処理によって第１記憶部７４には図３に示すように被選択回数が記憶され、第２記憶部７５には図４及び図５に示すように被選択回数が記憶されている場合を例とし、実施の形態１に係るテレビジョン受像機の電子番組表の表示における作動を説明する。説明の便宜上、電子番組表を表示する指示を受付けた時間帯は午後であるとする。
【００３６】
図７は電子番組表の表示における本発明の実施の形態１に係るＣＰＵ７１の処理順序を説明するフローチャートである。
【００３７】
ユーザの操作により受付手段８が電子番組表表示の指示を受付けた場合（Ｓ２０１）、ＣＰＵ７１は計時手段９の計時結果に基づき、現時間帯が午後か否かを判定する（Ｓ２０２）。ＣＰＵ７１が、現時間帯が午後であると判定した場合（Ｓ２０２：ＹＥＳ）、第１記憶部７４の第１記憶テーブルにおける各チャンネルの午後に係る被選択回数を読出し（Ｓ２０３）、ＲＡＭ７３に記憶する。次いでＣＰＵ７１は第２記憶部７５の午後に係る第２記憶テーブルの各チャンネルの被選択回数の合計を読出し（Ｓ２０４）、ＲＡＭ７３に記憶する。
【００３８】
一方、現時間帯が午後でないとＣＰＵ７１が判定した場合（Ｓ２０２：ＮＯ）、第１記憶部７４の第１記憶テーブルにおける各チャンネルの午前に係る被選択回数を読出し（Ｓ２０５）、ＲＡＭ７３に記憶する。また、ＣＰＵ７１は第２記憶部７５の午前に係る第２記憶テーブルの各チャンネルの被選択回数の合計を読出し（Ｓ２０６）、ＲＡＭ７３に記憶する。
【００３９】
上述の如く現時間帯は午後であるので、以上まで処理によってＲＡＭ７３には、第１記憶テーブルにおける１チャンネルから６チャンネルまでの午後に係る被選択回数である１００、７０、５０、２０、１０、１並びに、午後に係る第２記憶テーブルの１チャンネルから６チャンネルまでの被選択回数の各合計である０、４、０、４、１、１が記憶されている。
【００４０】
次いでＣＰＵ７１は重み付け演算を行う（Ｓ２０７）。該重み付け演算は、午後に係る第２記憶テーブルの各チャンネルの被選択回数の合計に基づく重み付け数を演算し、該演算によって得られた重み付け数を用いて第１記憶テーブルにおける各チャンネルの午後に係る被選択回数に重み付けすることによって行われる。また、重み付け数の演算は、午後に係る第２記憶テーブルの各チャンネルの各合計に重み係数（例えば正数の１０）を乗算することにより、行われる。
【００４１】
図８はＣＰＵの重み付け数の演算内訳及び演算結果を示す図表である。重み付け数の演算は、午後に係る第２記憶テーブルの各チャンネルの前記合計０、４、０、４、１、１に重み係数の正数１０を夫々乗算することにより行われ、演算の結果、０、４０、０、４０、１０、１０が重み付け数として夫々得られている。
【００４２】
図９はＣＰＵの重み付け演算の内訳及び演算結果を示す図表である。重み付け演算は、第１記憶テーブルにおける各チャンネルの午後に係る被選択回数１００、７０、５０、２０、１０、１に夫々前記重み付け数を加算することにより行われ、演算により、１００、１１０、５０、６０、２０、１１が重み付け演算の結果として得られている。
【００４３】
次いでＣＰＵ７１は、前記重み付け演算の結果に基づき、電子番組表の表示におけるチャンネルの配置決定を行う（Ｓ２０８）。つまり、前記重み付け演算の結果の値が大きいチャンネルほど電子番組表の上方に配置することになる。
【００４４】
ＣＰＵ７１は、前記配置決定の結果に基づいて各チャンネルを配置した電子番組表を合成し、該電子番組表を表示部５へ表示する（Ｓ２０９）。
【００４５】
被選択回数の累積のみに基づく配置決定である場合、つまり第１記憶テーブルにおける各チャンネルの午後に係る被選択回数のみに基づく配置決定である場合のチャンネル配置を図１０に例示する。また、上述のように、第１記憶テーブルにおける各チャンネルの午後に係る被選択回数に、最近１０日間の各チャンネルの被選択回数に基づく重み付け演算が行われ、その結果に基づく配置決定である場合のチャンネル配置を図１１に例示する。
【００４６】
第１記憶テーブルにおける各チャンネルの午後に係る被選択回数のみに基づく配置決定である場合、各チャンネルの被選択回数は夫々１００、７０、５０、２０、１０、１であって、チャンネル１、チャンネル２、チャンネル３、チャンネル４、チャンネル５、チャンネル６の順に大きい。従って、電子番組表の表示における各チャンネルの配置は図１０に示すように、一番上がチャンネル１となり、その以下、チャンネル２、チャンネル３、チャンネル４、チャンネル５、チャンネル６順に配置されている。
【００４７】
一方、第１記憶テーブルにおける各チャンネルの午後に係る被選択回数に、最近１０日間の各チャンネルの被選択回数（午後に係る第２記憶テーブルの各チャンネルの被選択回数の合計）に基づく重み付け演算が行われ場合の結果は、上述のように夫々１００、１１０、５０、６０、２０、１であり、チャンネル２、チャンネル１、チャンネル４、チャンネル３、チャンネル５、チャンネル６の順に大きい。従って、電子番組表の表示における各チャンネルの配置は図１１に示すように、一番上がチャンネル２となり、その以下、チャンネル１、チャンネル４、チャンネル３、チャンネル５、チャンネル６順に配置されている。この場合は、最近１０日間の各チャンネルの被選択回数変動が十分に反映され、電子番組表の表示における各チャンネルの配置が図１０と異なっている。
【００４８】
（実施の形態２）
以下、本発明の実施の形態２に係る表示装置及び表示方法を、テレビジョン受像機を例として説明する。図１２は本発明の実施の形態２に係るテレビジョン受像機の要部構成例を示すブロック図である。
【００４９】
本発明の実施の形態２に係るテレビジョン受像機は、複数のチャンネルのテレビジョン信号を受信するテレビジョンアンテナ１を備え、該テレビジョンアンテナ１により受信されたテレビジョン信号はチューナ部２へ送られる。チューナ部２は、制御装置７からの指示に応じて所定チャンネルを選局して信号処理部３へ送出する。信号処理部３は、チューナ部２から送られてくる所定チャンネルの信号から画像信号を抜取って例えば液晶パネルの表示部５へ送出する。また、信号処理部３は、所定チャンネルの信号から音声信号を抜取ってスピーカの音声出力部４へ出力する。以下、説明の便宜上、チャンネルは１から６までの６つのチャンネルのみであるとする。
【００５０】
制御装置７は、実施の形態１と同様に、ＣＰＵ７１、ＲＯＭ７２、ＲＡＭ７３、第１記憶部７４及び第２記憶部７５を備えている。ＣＰＵ７１は、チューナ部２へのチャンネル選局の指示、重み付け演算、該演算結果に基づく各チャンネルの配置決定等を行う。ＲＯＭ７２には、処理プログラム以外にも、前記重み付け演算のためのプログラム等が予め記憶されている。ＲＡＭ７３は、プログラムの実行時に発生する一時的なデータ、例えば前記重み付け演算の結果等を記憶する。
【００５１】
また、前記テレビジョン受像機は、例えばリモコン装置等の受付手段８及び計時手段９を備えており、受付手段８は、チャンネルの選択を受付けるためのチャンネル選択画面を表示する指示を受付ける選択画面表示キー、前記チャンネル選択画面からチャンネルの選択に係る指示を受付ける際、カーソルを移動させるための上下移動キー、電源キー等を備えている。
【００５２】
図１３はチャンネル選択画面の表示例を示す例示図である。実施の形態２に係るテレビジョン受像機は、ユーザによって受付手段８が操作され、チャンネル選択画面を表示する指示を受付けた場合、表示部５の表示面５１の一部にチャンネル選択画面が表示され、表示面５１の残余部分には当時点で表示されていた画像がそのまま表示される。チャンネル１からチャンネル６までを夫々示す文字（ＣＨ１〜ＣＨ６）が表示された６つのボックスが表示面５１の左側に表示されている。前記６つのボックスは上下方向に一列に配置されており、デフォルトとしてカーソル（図中ハッチングにて表示）は一番上のＣＨ１のボックスに位置している。また、表示面５１中、６つのボックスが表示された部分以外には当時点で表示されていた画像がそのまま表示されている。チャンネル選択画面が表示された場合、ユーザは受付手段８の前記上下移動キーを操作してカーソルを移動させ、チャンネルを選択する。その他の構成は実施の形態１と同様であるので、詳細な説明を省略する。
【００５３】
図１４はチャンネル選択画面の表示における本発明の実施の形態２に係るＣＰＵ７１の処理順序を説明するフローチャートである。以下の説明は、実施の形態１と同様に、図３に示すように第１記憶部７４には被選択回数が記憶され、図４及び図５に示すように第２記憶部７５には被選択回数が記憶されており、チャンネル選択画面を表示する指示を受付けた時間帯は午後である場合を例とする。
【００５４】
ユーザの操作により受付手段８がチャンネル選択画面表示の指示を受付けた場合（Ｓ３０１）、ＣＰＵ７１は計時手段９の計時結果に基づき、現時間帯が午後か否かを判定する（Ｓ３０２）。ＣＰＵ７１が、現時間帯が午後であると判定した場合（Ｓ３０２：ＹＥＳ）、第１記憶部７４の第１記憶テーブルにおける各チャンネルの午後に係る被選択回数を読出し（Ｓ３０３）、ＲＡＭ７３に記憶する。次いでＣＰＵ７１は第２記憶部７５の午後に係る第２記憶テーブルの各チャンネルの被選択回数の合計を読出し（Ｓ３０４）、ＲＡＭ７３に記憶する。
【００５５】
一方、現時間帯が午後でないとＣＰＵ７１が判定した場合（Ｓ３０２：ＮＯ）、第１記憶部７４の第１記憶テーブルにおける各チャンネルの午前に係る被選択回数を読出し（Ｓ３０５）、ＲＡＭ７３に記憶する。また、ＣＰＵ７１は第２記憶部７５の午前に係る第２記憶テーブルの各チャンネルの被選択回数の合計を読出し（Ｓ３０６）、ＲＡＭ７３に記憶する。
【００５６】
上述の如く現時間帯は午後であるので、以上までの処理によってＲＡＭ７３には、第１記憶テーブルにおける１チャンネルから６チャンネルまでの午後に係る被選択回数である１００、７０、５０、２０、１０、１並びに、午後に係る第２記憶テーブルの１チャンネルから６チャンネルまでの各合計である０、４、０、４、１、１が記憶されている。
【００５７】
次いでＣＰＵ７１は重み付け演算を行う（Ｓ３０７）。該重み付け演算は、午後に係る第２記憶テーブルの各チャンネルの被選択回数の合計に基づいて重み付け数を演算し、該演算によって得られた重み付け数を用いて第１記憶テーブルにおける各チャンネルの午後に係る被選択回数に重み付けすることにより行われる。また、重み付け数の演算は、午後に係る第２記憶テーブルの各チャンネルの各合計に重み係数（例えば正数の１０）を乗算することにより、行われる。前記重み付け演算及び重み付け数の演算は実施の形態１と同様であり、詳しい説明は省略する。
【００５８】
ステップＳ３０７の処理により、０、４０、０、４０、１０、１０が重み付け数として夫々得られ、１００、１１０、５０、６０、２０、１１が重み付け演算の結果として得られる。
【００５９】
次いでＣＰＵ７１は、前記重み付け演算の結果に基づき、チャンネル選択画面の表示における６つのボックス（チャンネル）の配置決定を行う（Ｓ３０８）。つまり、前記重み付け演算の結果の値が大きいチャンネルのボックスほど上方に配置されることになる。
【００６０】
ＣＰＵ７１は、前記決定結果に基づいて６つのボックスを配置したチャンネル選択画面を合成し、該チャンネル選択画面を表示部５へ表示する（Ｓ３０９）。
【００６１】
被選択回数の累積のみに基づく配置決定である場合、つまり第１記憶テーブルにおける各チャンネルの午後に係る被選択回数のみに基づく配置決定である場合は、図１３に例示するようなチャンネル（ボックス）配置となる。一方、上述のように、第１記憶テーブルにおける各チャンネルの午後に係る被選択回数に、最近１０日間の各チャンネルの被選択回数に基づく重み付け演算が行われ、その結果に基づく配置決定である場合は、図１５に例示するようなチャンネル（ボックス）配置となる。
【００６２】
第１記憶テーブルにおける各チャンネルの午後に係る被選択回数のみに基づく配置決定である場合、各チャンネルの被選択回数は夫々１００、７０、５０、２０、１０、１であって、チャンネル１、チャンネル２、チャンネル３、チャンネル４、チャンネル５、チャンネル６の順に大きい。従って、チャンネル選択画面の表示における各チャンネルの配置は図１３に示すように、一番上がチャンネル１となり、その以下、チャンネル２、チャンネル３、チャンネル４、チャンネル５、チャンネル６の順に配置されている。
【００６３】
一方、第１記憶テーブルにおける各チャンネルの午後に係る被選択回数に、最近１０日間の各チャンネルの被選択回数（午後に係る第２記憶テーブルの各チャンネルの被選択回数の合計）に基づく重み付け演算が行われ場合の結果は、上述のように夫々１００、１１０、５０、６０、２０、１であり、チャンネル２、チャンネル１、チャンネル４、チャンネル３、チャンネル５、チャンネル６の順に大きい。従って、チャンネル選択画面の表示における各チャンネルの配置は図１５に示すように、一番上がチャンネル２となり、その以下、チャンネル１、チャンネル４、チャンネル３、チャンネル５、チャンネル６の順に配置されている。この場合は、最近１０日間の各チャンネルの被選択回数変動が十分に反映され、チャンネル選択画面の表示における各チャンネルの配置が図１３と異なっている。
【００６４】
実施の形態１と同様の部分については、同一の符号を付して詳細な説明を省略する。
【００６５】
上述の実施の形態１及び２の記載においては、重み係数として不変の正数１０を用いる場合を例として説明したが、これに限るものでない。例えば、第１記憶テーブルの各チャンネルの被選択回数の午前又は午後別の合計に対する所定割合に係る数を重み係数としても良い。上述の場合においては、第１記憶テーブルの各チャンネルの被選択回数の午前及び午後別の合計が夫々１４１及び２５１であるので、前記所定割合を５％とした場合、重み係数は夫々、７．０５及び１２．５５となる。このように重み係数を第１記憶テーブルの各チャンネルの被選択回数の午前又は午後別の合計に対する所定割合とした場合、重み係数は、使用期間が長くなることにつれて被選択回数及びその合計が大きくなり、前記合計に対する所定割合に係る数も大きくなるいわゆる変数である。従って、使用期間が長くなることによる重み付け数の反映率の相対的減少を防ぐ効果が期待できる。
【００６６】
また、上述の実施の形態１及び２の記載においては、第１記憶テーブルの各チャンネルの被選択回数に対して重み付けを行う場合を例として説明したが、これに限るものでない。例えば、第１記憶テーブルの各チャンネルの被選択回数でなく、全チャンネルの被選択回数の合計に対する各チャンネルの割合を示す数字に対し、重み付けを行うようにしてもよい。上述の場合においては、第１記憶テーブルの午後に係る全チャンネルの被選択回数の合計は２５１であり、該合計に対して１チャンネルは３９．８４％、２チャンネルは２７．８９％、３チャンネルは１９．９２％、４チャンネルは７．９７％、５チャンネルは３．９８％、６チャンネルは０．４％の割合である。従って、重み付けの演算は、夫々３９．８４、２７．８９、１９．９２、７．９７、３．９８、０．４に対して行われることとなる。このような場合は、使用期間が長くなることにつれて被選択回数が大きくなっても、各チャンネルの割合を示す数字は常に０から１００までの何れかの数字になるので、使用期間が長くなることによる重み付け数の反映率の相対的減少を防ぐ効果が期待できる。
【００６７】
また、上述の実施の形態１及び２の記載においては、第２記憶テーブルの各チャンネルの被選択回数の合計に基づく重み付け数を演算し、得られた重み付け数を用いて第１記憶テーブルにおける各チャンネルの被選択回数に重み付けを行う場合を例として説明したが、これに限るものでない。例えば、第１記憶テーブルにおける各チャンネルの被選択回数又は、第２記憶テーブルの各チャンネルの被選択回数の合計の代わりに、各チャンネルの被選択回数に基づく順位を用いるようにしても良い。つまり、第２記憶テーブルの被選択回数における各チャンネルの順位に基づき、１位から、６点、５点、４点、３点、２点、１点のポイントを付与し、該ポイントに基づいて重み付け数を演算する。また、第１記憶テーブルの被選択回数における各チャンネルの順位に基づき、１位から、１００点、９０点、８０点、７０点、６０点、５０点のポイントを付与し、該ポイントに対して前記演算で得られた重み付け数を重み付けするようにしても良い。この場合は使用期間が長くなることにつれて被選択回数が大きくなることに影響を受けず、常に順位による一定のポイントに基づく重み付けを行うので、使用期間が長くなることによる重み付け数の反映率の相対的減少を防ぐ効果が期待できる。
【００６８】
上述の実施の形態１又は２の記載においては、各チャンネルの被選択回数の第１記憶部７４及び第２記憶部７５への記憶において、各チャンネルが選択された時間帯が午前か午後かに対応付けてチャンネル毎に記憶する場合を例として説明したが、これに限るものでない。例えば、休日か平日かに対応付けて記憶するように構成しても良く、選択された時間帯に対応付けずに記憶するように構成しても良い。
【００６９】
上述の実施の形態１又は２の記載においては、第１記憶部７４の第１記憶テーブルが、各チャンネルの被選択回数を前記テレビジョン受像機の使用開始日から累積的に記憶する場合を例として説明したが、これに限るものでなく、例えば、ユーザによって各チャンネルの被選択回数をゼロにする初期化が可能に構成しても良い。
【００７０】
上述の実施の形態１又は２の記載においては、テレビジョン受像機を例として説明したが、これに限るものでなく、例えばパソコン、携帯電話、ＰＤＡ（Ｐｅｒｓｏｎａｌ  Ｄｉｇｉｔａｌ  Ａｓｓｉｓｔａｎｔｓ）などにも適用できる。
【図面の簡単な説明】
【００７１】
【図１】本発明の実施の形態１に係るテレビジョン受像機の要部構成例を示すブロック図である。
【図２】本発明の実施の形態１に係るテレビジョン受像機の制御装置の要部構成例を示すブロック図である。
【図３】本発明の実施の形態１に係るテレビジョン受像機の第１記憶テーブルの一例を示す概念図である。
【図４】本発明の実施の形態１に係るテレビジョン受像機の第２記憶テーブルの一例を示す概念図である。
【図５】本発明の実施の形態１に係るテレビジョン受像機の第２記憶テーブルの一例を示す概念図である。
【図６】本発明の実施の形態１に係る第１記憶部及び第２記憶部の記憶処理を示すフローチャートである。
【図７】電子番組表の表示における本発明の実施の形態１に係るＣＰＵの処理順序を説明するフローチャートである。
【図８】本発明の実施の形態１に係るＣＰＵの重み付け数の演算内訳及び演算結果を示す図表である。
【図９】本発明の実施の形態１に係るＣＰＵの重み付け演算の内訳及び演算結果を示す図表である。
【図１０】被選択回数の累積のみに基づく配置決定による電子番組表の表示例を示す例示図である。
【図１１】被選択回数の累積に対し、最近１０日間の被選択回数に基づく重み付け演算の結果に基づく配置決定による電子番組表の表示例を示す例示図である。
【図１２】本発明の実施の形態２に係るテレビジョン受像機の要部構成例を示すブロック図である。
【図１３】本発明の実施の形態２に係るテレビジョン受像機のチャンネル選択画面の表示例を示す例示図である。
【図１４】チャンネル選択画面の表示における本発明の実施の形態２に係るＣＰＵの処理順序を説明するフローチャートである。
【図１５】被選択回数の累積に対し、最近１０日間の被選択回数に基づく重み付け演算の結果に基づく配置決定によるチャンネル選択画面の表示例を示す例示図である。
【符号の説明】
【００７２】
２  チューナ部
５  表示部
７  制御装置
８  受付手段
７１  ＣＰＵ
７４  第１記憶部
７５  第２記憶部
【図１】
2008287667.tif 000003
【図２】
2008287667.tif 000004
【図３】
2008287667.tif 000005
【図４】
2008287667.tif 000006
【図５】
2008287667.tif 000007
【図６】
2008287667.tif 000008
【図７】
2008287667.tif 000009
【図８】
2008287667.tif 000010
【図９】
2008287667.tif 000011
【図１０】
2008287667.tif 000012
【図１１】
2008287667.tif 000013
【図１２】
2008287667.tif 000014
【図１３】
2008287667.tif 000015
【図１４】
2008287667.tif 000016
【図１５】
2008287667.tif 000017